(57)【要約】【課題】切替え手段のアーク放電の発生時にも安全な誘導加熱調理器を提供することを目的とする。【解決手段】誘導加熱コイル３と、誘導加熱コイルに接続された複数の共振コンデンサ４、５と、誘導加熱コイル３と共振コンデンサ４、５を駆動するスイッチング手段７と、複数の共振コンデンサ４、５を切替える切替え手段６と、切替え手段６の接点にアーク放電が発生したことを検知するアーク放電検知手段９と、アーク放電検知手段９がアーク放電を検知した場合にスイッチング手段７を制御して加熱を停止する制御手段８とを備えたものである。これによって、切替え手段６の接点にアーク放電が発生すると、これをアーク放電検知手段９が検知し、制御手段８がスイッチング手段７を制御して加熱を停止し、切替え手段６の焼損事故などを防止し、安全な誘導加熱調理器が提供できる。【選択図】図１
2008235056.tif 000002
【特許請求の範囲】
【請求項１】
誘導加熱コイルと、前記誘導加熱コイルに接続された複数の共振コンデンサと、前記誘導加熱コイルと共振コンデンサを駆動するスイッチング手段と、前記複数の共振コンデンサを切替える切替え手段と、切替え手段の接点にアーク放電が発生したことを検知するアーク放電検知手段と、アーク放電検知手段がアーク放電を検知した場合にスイッチング手段を制御して加熱を停止する制御手段とを備えた誘導加熱調理器。
【請求項２】
アーク放電検知手段が所定時間以上のアーク放電を検知した場合に加熱を停止する請求項１に記載の誘導加熱調理器。
【請求項３】
加熱停止時にエラー報知を行う請求項１または２に記載の誘導加熱調理器。
【請求項４】
アーク放電検知手段は、アーク放電を検知するアンテナと、アンテナの両端電圧の増加によりオンするトランジスタと、トランジスタのオンにより両端電圧が減少するコンデンサとを有し、制御手段はコンデンサの両端電圧の変化を検知してスイッチング手段を制御する請求項１〜３のいずれか１項に記載の誘導加熱調理器。
【発明の詳細な説明】
【技術分野】
【０００１】
本発明は、アルミおよび鉄などの材質からなる被加熱体を誘導加熱可能な誘導加熱調理器に関するものである。
【背景技術】
【０００２】
従来、被加熱体の材質として、アルミと鉄などの両方を誘導加熱可能とする場合、共振電流周波数を変化させることにより両方の材質とも誘導加熱できるようにしている。この共振電流周波数変化のために、共振コンデンサの容量を切替える方式が採られている（例えば、特許文献１参照）。
【特許文献１】特開２００３−１５１７４７号公報
【発明の開示】
【発明が解決しようとする課題】
【０００３】
しかしながら、前記従来の構成では、鉄加熱時には共振電流周波数を下げるために、誘導加熱コイルには複数の共振コンデンサが接続されるが、アルミ加熱時には共振電流周波数を上げるために、１つの共振コンデンサを接続しないよう切替え手段で切替える。このため、鉄加熱時に何らかの原因で切替え手段の接点が開いた場合には、アーク放電が発生する可能性がある。また、アルミ加熱時には切替え手段の両端には数ｋＶの電圧が印加されており、接点の耐圧に余裕が無い場合には、何らかの原因で印加電圧が切替え手段の接点の耐圧を越えると、切替え手段の接点間にアーク放電が発生する可能性がある。アーク放電が発生すると、切替え手段の接点部は非常に高温となり、切替え手段の構成部材が焼損するなどの不具合が発生する可能性がある。
【０００４】
本発明は、前記従来の課題を解決するもので、切替え手段のアーク放電の発生時には加熱を停止することで、安全な誘導加熱調理器を提供することを目的とする。
【課題を解決するための手段】
【０００５】
前記従来の課題を解決するために、本発明の誘導加熱調理器は、誘導加熱コイルと、前記誘導加熱コイルに接続された複数の共振コンデンサと、前記誘導加熱コイルと共振コンデンサを駆動するスイッチング手段と、前記複数の共振コンデンサを切替える切替え手段と、切替え手段の接点にアーク放電が発生したことを検知するアーク放電検知手段と、アーク放電検知手段がアーク放電を検知した場合にスイッチング手段を制御して加熱を停止する制御手段とを備えたものである。
【０００６】
これによって、切替え手段の接点にアーク放電が発生すると、これをアーク放電検知手段が検知し、制御手段がスイッチング手段を制御して加熱を停止し、切替え手段の焼損事故などを防止し、安全な誘導加熱調理器が提供できる。
【発明の効果】
【０００７】
本発明の誘導加熱調理器は、切替え手段の接点にアーク放電が発生すると加熱を停止することで、切替え手段の焼損事故などを防止し、安全な誘導加熱調理器が提供できる。
【発明を実施するための最良の形態】
【０００８】
第１の発明は、誘導加熱コイルと、前記誘導加熱コイルに接続された複数の共振コンデンサと、前記誘導加熱コイルと共振コンデンサを駆動するスイッチング手段と、前記複数の共振コンデンサを切替える切替え手段と、切替え手段の接点にアーク放電が発生したことを検知するアーク放電検知手段と、アーク放電検知手段がアーク放電を検知した場合にスイッチング手段を制御して加熱を停止する制御手段とを備えた誘導加熱調理器とするものである。これによって、切替え手段の接点にアーク放電が発生すると、これをアーク放電検知手段が検知し、制御手段がスイッチング手段を制御して加熱を停止し、切替え手段の焼損事故などを防止し、安全な誘導加熱調理器が提供できる。
【０００９】
第２の発明は、特に、第１の発明において、アーク放電検知手段が所定時間以上のアーク放電を検知した場合に加熱を停止することにより、ノイズなどによるアーク検知手段の誤動作で加熱動作が停止するのを防止できる。
【００１０】
第３の発明は、特に、第２の発明において、加熱停止時にエラー報知を行うことにより、使用者に機器に異常が生じたことを伝えることができる。
【００１１】
第４の発明は、特に、第１〜第３のいずれか１つの発明において、アーク放電検知手段は、アーク放電を検知するアンテナと、アンテナの両端電圧の増加によりオンするトランジスタと、トランジスタのオンにより両端電圧が減少するコンデンサとを有し、制御手段はコンデンサの両端電圧の変化を検知してスイッチング手段を制御することにより、切替え手段の接点にアーク放電が発生すると、これを簡易に検知することができる。
【００１２】
以下、本発明の実施の形態について、図面を参照しながら説明する。なお、この実施の形態によって本発明が限定されるものではない。
【００１３】
（実施の形態）
図１、図２は、本発明の実施の形態における誘導加熱調理器を示している。
【００１４】
図１に示すように、本実施の形態における誘導加熱調理器は、電源１と、昇圧手段２と、鍋などの被加熱体を加熱する誘導加熱コイル３と、誘導加熱コイル３に接続された複数の共振コンデンサ４、５と、誘導加熱コイル３と共振コンデンサ４、５を駆動するスイッチング手段７と、複数の共振コンデンサ４、５を切替える切替え手段６と、切替え手段６の近傍に設置され接点にアーク放電が発生したことを検知するアーク放電検知手段９と、アーク放電検知手段９がアーク放電を検知した場合にその信号に基づきスイッチング手段７を制御して加熱を停止する制御手段８とを備えている。
【００１５】
図２に示すように、アーク放電検知手段９は、切替え手段６の近傍でアーク放電を検知するアンテナ１１と、抵抗１２、１３、１４と、ダイオード１５、１６と、アンテナ１１の両端電圧の増加によりオンするトランジスタ１７と、トランジスタ１７のオンにより両端電圧が変化（減少）するコンデンサ１８とを有している。
【００１６】
以上のように構成された誘導加熱調理器について、以下その動作を説明する。
【００１７】
加熱を開始すると、誘導加熱コイル３に流れる共振電流と、スイッチング手段７の電圧を検知し、その値によって鍋などの被加熱体の材質判別を行い、鉄と判断すると、制御手段８は切替え手段６をオンして共振コンデンサ４に共振コンデンサ５を並列接続して容量を増加させる。
【００１８】
この状態で、切替え手段６の接点が電源ノイズなどの影響による誤動作などで開放すると、切替え手段６の接点両端に高電圧の高周波によるアーク放電が発生する。アーク放電が発生すると、アーク放電検知手段９がアーク放電を検知する。
【００１９】
以下、その動作を説明する。アーク放電が発生すると、アンテナ１１の両端電圧が増加し、抵抗１２を介してトランジスタ１７がオンし、コンデンサ１８の両端電圧が減少する。制御手段８はコンデンサ１８の両端電圧の変化を検知し、スイッチング手段７をオフして加熱を停止する。
【００２０】
また、アルミと判断した場合は、制御手段８は切替え手段６をオフして共振コンデンサ４のみを誘導加熱コイル３に接続する。アルミ加熱中には切替え手段６の接点両端電圧は数ｋＶとなっているが、切替え手段６の接点における耐圧不足などの要因で印加電圧よりも耐圧が下回った場合は、切替え手段６の接点にアーク放電が発生する。その場合も鉄加熱中に切替え手段６の誤動作などで接点が開放した場合と同様、アーク放電検知手段９がアーク放電を検知し、それを制御手段８が検知して加熱を停止する。この結果、切替え手段６がアーク放電の継続により焼損するのを防止できる。
【００２１】
なお、ノイズなどによるアーク放電検知手段９の誤動作で加熱動作が停止するのを防止するために、アーク放電検知手段９が所定時間以上（例えば０．１秒）のアーク放電を検知した場合に、制御手段８が加熱を停止するようにしても良い。
【００２２】
また、アーク放電検知手段９がアーク放電を検知した場合、誘導加熱調理器の表示部分に表示によるエラー報知を行うか、ブザー、音声でエラー報知を行うか、あるいは両者によるエラー報知を行うかして、使用者に機器の異常を知らせるようにすれば、使い勝手が向上する。
【産業上の利用可能性】
【００２３】
以上のように、本発明にかかる誘導加熱調理器は、切替え手段の接点にアーク放電が発生すると加熱を停止することで、切替え手段の焼損事故などを防止し、安全な誘導加熱調理器が提供できるので、一般家庭はもとより業務用の誘導加熱調理器としても適用できる。
【図面の簡単な説明】
【００２４】
【図１】本発明の実施の形態における誘導加熱調理器の回路を示すブロック図
【図２】同誘導加熱調理器におけるアーク放電検知手段の回路図
【符号の説明】
【００２５】
３  誘導加熱コイル
４、５  共振コンデンサ
６  切替え手段
７  スイッチング手段
８  制御手段
９  アーク放電検知手段
【図１】
2008235056.tif 000003
【図２】
2008235056.tif 000004